(57)【特許請求の範囲】
【請求項１】
カレンダー頁紙葉Ｐを１部ずつ搬送する搬送手段Ａと、該搬送手段Ａにより搬入した該頁紙葉Ｐを綴じる紙葉綴手段Ｂと、綴じた頁紙葉Ｐを搬出する搬出手段Ｃとを備えたカレンダー綴機において、搬送手段Ａの紙葉搬送路上に、頁紙葉Ｐの通過を検知するタイミングセンサー２０及び頁紙葉Ｐの厚みを検出する厚さ検出センサー２１と、厚さ検出のために頁紙葉Ｐを一旦停止させる紙葉停止部２２とを搬送方向に対してこの順に設け、前記タイミングセンサー２０が通過を検知すると、直ちに搬送路上に紙葉停止部２２が紙葉搬送路に突出動作して、通過検知された前記カレンダー頁紙葉Ｐの前端部を当接させ、カレンダー頁紙葉Ｐを一旦停止させ、該カレンダー紙葉Ｐが一旦停止している間に厚さ検出センサー２１が停止している該カレンダー頁紙葉Ｐの厚さを検出し、カレンダー頁紙葉Ｐの厚さが所定厚さの範囲以内である場合は正常厚さ検出信号を発信し、所定厚さ範囲外であれば異常厚さ検出信号を発信するように構成され、前記正常厚さ検出信号に基いて、紙葉停止部２２の一旦停止動作を解除して頁紙葉Ｐを紙葉綴手段Ｂ側に送り込み、該紙葉綴手段Ｂによりカレンダー綴じを行ない、また、前記異常厚さ検出信号に基いて、紙葉停止部２２による頁紙葉Ｐの一旦停止動作を継続動作させて紙葉綴手段Ｂによる綴じ動作を一旦停止させ、異常厚さにより一旦停止動作している該カレンダー頁紙葉Ｐを、手動又はフリップ・フロップ振り分けリジェクターにてカレンダー搬送路外に排出させるようにしたことを特徴とするカレンダー綴機。
【発明の詳細な説明】
【０００１】
【産業上の利用分野】
本発明は、カレンダー頁紙葉を１部ずつ搬入しながら、その端部を順次に綴じ合わせるためのカレンダー綴機に関する。
【０００２】
【従来の技術】
従来のカレンダー綴機は、図５の平面図、及び図６の側面図に示すように、数枚の紙葉を揃えて重ね合わせたカレンダー頁紙葉Ｐを１部ずつ載置して、搬送路両側に設けたサイドガイド板１，１に沿って搬入するベルトコンベア等の搬入手段Ａを備える。
【０００３】
搬入手段Ａの搬送方向下流側には、カレンダー綴手段Ｂを備え、細長矩形状の薄い金属板を長手方向に沿って断面Ｕ字型に折り曲げ、一方が開放するように形成した細長いカレンダー綴金具ｍ（又は製本用の綴針金（ワイヤー、ステッチ）等）の綴部材を、スタック部２より供給し、且つ搬入したカレンダー頁紙葉Ｐの前端部ｐｆを、綴金具ｍの一方が開放する開放部ｍ１  内に突入させ、続いて、該綴金具ｍを頁紙葉Ｐの表裏方向よりプレス押圧して、カレンダー頁紙葉Ｐの前端部を綴金具ｍによって綴じ付けする。
【０００４】
カレンダー綴手段Ｂの搬送方向下流側には、綴じ付け後のカレンダー頁紙葉Ｐを搬出するベルトコンベア等の搬出手段Ｃを備える。
【０００５】
上記カレンダー綴手段Ｂは、多数本の綴金具ｍをスタックするスタック部２を備える。スタック部２は、頁使用Ｐ搬送路上方における幅方向両側に、綴手段Ｂ内に向かって下向きに傾斜して設けられ、綴金具ｍをその両端部で支持するスライドガイド３，３と、スライドガイド３，３に沿ってスタックされる多数本の綴金具ｍのうち、最下端部の綴金具ｍをその両端部においてスライド落下しないように一時的に保持する突出・退避可能な第１保持爪４，４と、その最下端部の綴金具ｍの直上にある綴金具ｍをその両端部において一時的に保持する突出・退避可能な第２保持爪５とを備える。
【０００６】
図５、図６に示すように、まず搬送手段Ａによりカレンダー頁紙葉Ｐを、１部ずつ綴手段Ｂに向かって搬送すると、搬送路上にある紙葉停止部７の停止板７ａが下降動作して、紙葉Ｐをその前端部ｐｆを当接させて一旦停止させ、紙葉Ｐの前端部ｐｆを揃えて搬送タイミングを一定にする。
【０００７】
続いて停止板７ａは上昇復帰動作することにより、該カレンダー頁紙葉Ｐを、搬送手段Ａによって綴手段Ｂ方向に送り込み、搬送路上に搬送方向と直交する姿勢で、水平可動プレス盤１１ｆと水平固定盤１２との水平面上に落下供給された綴金具ｍの開放部ｍ１  内に、カレンダー頁紙葉Ｐの前端部ｐｆを送り込み突入させる。
【０００８】
その際に、搬送手段Ａの搬送路上に設置されたカレンダー頁紙葉Ｐの厚さを検出する厚さ検出センサー８により、頁紙葉Ｐの厚さを検出し、これと同期的に、綴手段Ｂ内に装備された適宜プレス手段（例えば図６に示す綴金具第１プレス手段６の上下動作する上部プレス板６ａと、停止中の可動プレス盤１１ｆと）により、頁紙葉Ｐの表裏方向より前記綴金具ｍをクランプして押圧プレスすることにより、前記綴金具ｍの開放部ｍ１  を閉鎖して、綴金具ｍをカレンダー頁紙葉Ｐ前端部ｐｆに一体的に綴じ付けするものである。
【０００９】
続いて、回転軸１１ａを中心に回転するカム１１ｂと、該カム１１ｂの回転により支軸１１ｃを支点として揺動動作するアーム１１ｄの一端に水平アーム１１ｅを介して取り付けた前記可動プレス盤１１ｆが水平移動して、固定盤１２との間に空間部１３を形成して、形成された空間部１３に嵌挿する綴金具曲げ用の第２プレス手段９の上下動作するプレス板９ａは下降動作して、空間部１３内に嵌入し、カレンダー頁紙葉Ｐの前端部ｐｆを綴じ付した後の前記綴金具ｍの平坦部を屈曲し、続いて上昇復帰動作した後に、該カム１１ｂの回転により可動プレス盤１１ｆは、固定盤１２方向に接近して、綴金具ｍの前記屈曲部を、頁紙葉Ｐの前端部ｐｆの紙葉と一緒に締圧して二段折り（巻き折り）して、図８の側面図に示すように、上記カレンダー頁紙葉Ｐの前端部ｐｆを、綴金具ｍによる綴じ付け順序に従って綴じ付けを行なうものである。
【００１０】
続いて、可動プレス盤１１ｆが水平移動して空間部１３を形成した後に、押し上げ板１４が空間部１３内に嵌入して、二段折りされた綴金具ｍを押し上げるとともに、搬送手段Ａのコンベアベルト（若しくはコンベアロール）と、対向設置する上下動作する送り出しロールＲの下降動作により、カレンダー頁紙葉Ｐを表裏より挟み込んで、綴じ付されたカレンダー頁紙葉Ｐを搬出手段Ｃ方向に搬出するものである。
【００１１】
なお、１０は、綴金具ｍの供給位置決めを行なう位置決め手段であり、水平可動盤１１ｆ上をスライド移動可能な可動位置決め板１０ｆを備え、該位置決め板１０ｆは、水平可動盤１１ｆと水平固定盤１２上に供給される綴金具ｍの前端部を搬送方向とは反対方向に押送して位置決めするものである。
【００１２】
回転軸１０ａを中心に回転するカム１０ｂと、該カム１０ｂの回転により支軸１０ｃを支点として揺動動作するアーム１０ｄの一端に取り付けた水平アーム１０ｅを介して前記可動位置決め板１０ｆが取り付けられている。
【００１３】
また、従来の上記カレンダー綴機の他のカレンダー綴手段Ｂとして、図７に示すようなものがある。
エンドレスチェーン若しくはエンドレスベルト２ａと、駆動回転するスプロケット若しくはプーリー２ｂ，２ｃとによる綴金具送込み手段と、エアー吸着する供給スイングアーム２ｄを設け、エンドレスチェーン若しくはエンドレスベルト２ａ上に、多数本の綴金具ｍ（細長矩形状の薄い金属板であって、長手方向に沿って断面Ｕ字型に折り曲げる以前のもの）を縦姿勢でスタックするスタック部２を備える。
【００１４】
スイングアーム２ｄによって、綴金具ｍを、綴金具ｍの長手方向に対して平行に空間部１６ａが形成された水平盤１６上に水平姿勢で供給し、該綴金具ｍの一端部を位置決め板１７によって押して位置決めした後、綴金具ｍ上より上下動作するプレス板１５の先端部１５ａを空間部１６ａ内に突入させて、綴金具ｍを断面Ｕ字型に屈曲し、下方の受取アーム１８の先端部１８ａに供給して、該受取アーム１８は供給されたＵ字型の綴金具ｍを、矢印方向に回動して水平可動プレス盤１１ｆと水平固定盤１２との水平面上に供給する。
【００１５】
Ｕ字型の綴金具ｍが水平可動プレス盤１１ｆと水平固定盤１２との水平面上に供給された後は、図６にて前述したと同様にして、綴金具ｍの開放部ｍ１  内にカレンダー頁紙葉Ｐの前端部ｐｆを突入させて、綴金具第１プレス手段６により、頁紙葉Ｐの表裏方向より前記綴金具ｍを押圧することにより、前記綴金具ｍの開放部ｍ１  を閉鎖して、綴金具ｍをカレンダー頁紙葉Ｐ前端部ｐｆに一体的に綴じ付けし、続いて、綴金具曲げ用の第２プレス手段９により、前記綴金具ｍの平坦部を屈曲し、続いて可動プレス盤１１ｆは、固定盤１２方向に接近して、綴金具ｍの前記屈曲部を締圧して二段折り（巻き折り）し、図８の側面図に示す綴じ付け順序に従って綴じ付けを行ない、その後、押し上げ板１４により二段折りされた綴金具ｍを押し上げるとともに、搬出手段Ｃ方向に搬出するものである。
【００１６】
このような上記カレンダー綴機は、搬送手段Ａの頁紙葉搬送路途中に、カレンダー頁紙葉の１部毎の厚みの正常・異常を検知するキャリパー（ロータリーニップ厚さ測定方式）等の厚さ検出センサー７を備えており、構成頁が落丁や増丁を生じていてカレンダー頁紙葉Ｐの厚みが異常であれば、該厚さ検出センサー７の検出信号によって、警報ブザーやランプを起動させ、綴金具ｍにて綴じ付けされた異常厚みのカレンダー頁紙葉Ｐは、不良品として排出（リジェクト）するようにしている。
【００１７】
【発明が解決しようとする課題】
上記従来のカレンダー綴機は、厚さ検出センサー７によってカレンダー頁紙葉Ｐの厚みの正常・異常を検知しつつも、正常・異常に係わらず、全て綴手段Ｂに搬入されて、綴金具ｍによって綴じ付けされてしまうため、綴金具ｍにロスが生じ、また、区分された不良品を再生する場合には、頁紙葉Ｐと綴金具ｍとを分離する手間が掛かっていた。
【００１８】
また、カレンダー頁紙葉Ｐを１部ずつ搬送手段Ｃにフィーダー等によって自動的に若しくは手動（マニュアル）にて供給載置して、順次、カレンダー頁紙葉Ｐを連続的に搬入する場合、特に基準よりも厚みのある増丁の生じたカレンダー頁紙葉Ｐは、綴手段Ｂ内を円滑に進行せずに、途中で引っ掛かったりするトラブルを生じる。
【００１９】
また、カレンダー頁紙葉Ｐを１部ずつ搬送手段Ｃに手動（手差し）にて供給載置して順次連続的に搬入する場合、特に手動による供給速度が速すぎる時には、先行するカレンダー頁紙葉Ｐと後続のそれとが互いに衝突して、先行の頁紙葉Ｐが搬入途中で曲がったり、あるいは重なりあって２部差しが発生する場合があった。
【００２０】
本発明は、先行するカレンダー頁紙葉の綴じ付けが終了した後に、所定の時間差をもって後続の頁紙葉を綴手段に搬入させることによって、上記不都合を解消することにある。
【００２１】
【課題を解決するための手段】
本発明は、カレンダー頁紙葉Ｐを１部ずつ搬送する搬送手段Ａと、該搬送手段Ａにより搬入した該頁紙葉Ｐを綴じる紙葉綴手段Ｂと、綴じた頁紙葉Ｐを搬出する搬出手段Ｃとを備えたカレンダー綴機において、搬送手段Ａの紙葉搬送路上に、頁紙葉Ｐの通過を検知するタイミングセンサー２０及び頁紙葉Ｐの厚みを検出する厚さ検出センサー２１と、厚さ検出のために頁紙葉Ｐを一旦停止させる紙葉停止部２２とを搬送方向に対してこの順に設け、前記タイミングセンサー２０が通過を検知すると、直ちに搬送路上に紙葉停止部２２が紙葉搬送路に突出動作して、通過検知された前記カレンダー頁紙葉Ｐの前端部を当接させ、カレンダー頁紙葉Ｐを一旦停止させ、該カレンダー紙葉Ｐが一旦停止している間に厚さ検出センサー２１が停止している該カレンダー頁紙葉Ｐの厚さを検出し、カレンダー頁紙葉Ｐの厚さが所定厚さの範囲以内である場合は正常厚さ検出信号を発信し、所定厚さ範囲外であれば異常厚さ検出信号を発信するように構成され、前記正常厚さ検出信号に基いて、紙葉停止部２２の一旦停止動作を解除して頁紙葉Ｐを紙葉綴手段Ｂ側に送り込み、該紙葉綴手段Ｂによりカレンダー綴じを行ない、また、前記異常厚さ検出信号に基いて、紙葉停止部２２による頁紙葉Ｐの一旦停止動作を継続動作させて紙葉綴手段Ｂによる綴じ動作を一旦停止させ、異常厚さにより一旦停止動作している該カレンダー頁紙葉Ｐを、手動又はフリップ・フロップ振り分けリジェクターにてカレンダー搬送路外に排出させるようにしたことを特徴とするカレンダー綴機である。
【００２２】
【実施例】
本発明のカレンダー綴機を、図１に示す一実施例の平面図に従って以下に詳細に説明する。
カレンダー綴機は、図１の平面図に示すように、ベルトコンベア等の搬送手段Ａと、紙葉綴手段Ｂと、搬出手段Ｃとを備える。
【００２３】
搬送手段Ａは、１枚の紙葉からなるカレンダー頁紙葉Ｐを１枚ずつ、乃至カレンダー表紙となる紙葉、カレンダー中身頁となる紙葉等の数枚の紙葉を揃えて重ね合わせたカレンダー頁紙葉Ｐを１部ずつ載置して、搬送路両側に設けたサイドガイド板１，１に沿って紙葉綴手段Ｂに搬入するものであり、ベルトコンベア、ロールコンベア、チェーンコンベア等である。
【００２４】
図１に示すように、搬送手段Ａのカレンダー頁紙葉Ｐが通過する部分には、透過方式、反射方式のフォトセンサー、あるいは近接スイッチ等のタイミングセンサー２０と、該タイミングセンサー２０の搬送方向上流側に、厚さ検出センサー２１、該タイミングセンサー２０の搬送方向下流側に紙葉停止部２２が設けられている。
【００２５】
本発明における紙葉綴手段Ｂとしては、従来の技術の説明において示したようなものが使用できる。（図６，図７参照）
例えば、本発明の一実施例における紙葉綴手段Ｂは、図６に示すように、カレンダー綴金具ｍ（薄く細長矩形状の金属板を長手方向に沿って断面Ｕ字型に一方が開放するように折り曲げて形成した細長い綴金具ｍ、又は製本用の綴針金（ワイヤー、ステッチ）等の綴部材を供給する綴部材スタック部２を備え、該スタック部２より綴部材を供給し、且つ搬入したカレンダー頁紙葉Ｐの前端部ｐｆを、綴金具ｍの一方が開放する開放部内に突入させ、続いて、該綴金具ｍを紙葉Ｐの表裏方向よりプレス押圧してカレンダー頁紙葉Ｐ前端部を、綴金具ｍによって綴じ付けするものである。
【００２６】
搬出手段Ｃは、紙葉綴手段Ｂによって綴じ付け後のカレンダー頁紙葉Ｐを、前方に搬出するものであり、ベルトコンベア、ロールコンベア、チェーンコンベア等である。
【００２７】
前記紙葉綴手段Ｂ近傍に設けられた多数本の綴金具ｍをスタックするスタック部２は、綴金具ｍをその両端部で支持するスライドガイド３，３を備え、該スライドガイド３，３は、頁紙葉Ｐの搬送路上方における幅方向両側に紙葉綴手段Ｂ内に向かって下向きに傾斜して設けられている。
【００２８】
該スライドガイド３，３は、スタックされる多数本の綴金具ｍのうち、最下端部の綴金具ｍをその両端部においてスライド落下しないように一時的に保持する突出・退避可能な第１保持爪４，４と、その最下端部の綴金具ｍの直上にある綴金具ｍをその両端部において一時的に保持する突出・退避可能な第２保持爪５とを備える。
【００２９】
図１に示すように、まず、搬送手段Ａが、カレンダー頁紙葉Ｐを１部ずつ、紙葉綴手段Ｂ方向に向かって搬送すると、光センサー等のタイミングセンサー２０はカレンダー頁紙葉Ｐの通過を検知する。
【００３０】
タイミングセンサー２０が通過を検知すると、直ちに搬送路上に紙葉停止部２２が、上方より下向きに突出動作（又は下方より上向きに突出動作）して、通過検知された該カレンダー頁紙葉Ｐの前端部を当接させて、カレンダー頁紙葉Ｐを一旦停止させる。
【００３１】
カレンダー紙葉Ｐが一旦停止している間に、厚さ検出センサー２１は、停止している該カレンダー頁紙葉Ｐの厚さ（厚さが予め設定された所定厚みの範囲内にあるか否か）を検出する。
【００３２】
厚さ検出センサー２１は、カレンダー頁紙葉Ｐの厚さが、所定厚さの範囲以内である場合は、正常厚さ検出信号を発信し、所定厚さ範囲外（所定厚さ以上）であれば、異常厚さ検出信号を発信する。
【００３３】
上記厚さ検出センサー２１が、正常厚さ検出信号を発信すると、前記タイミングセンサー２０によるタイミング検出信号と、正常厚さ検出信号とのＡＮＤ信号（両検出信号）によって、紙葉停止部２２が上方（又は下方）に回避動作し、一旦停止しているカレンダー頁紙葉Ｐの停止を解除して、搬送手段Ａにより該カレンダー頁紙葉Ｐを紙葉綴手段Ｂに搬入して、頁紙葉Ｐの前端部ｐｆを搬送手段Ａの搬送路上に供給されている綴金具ｍの開放部ｍ１  内に突入させる。
【００３４】
カレンダー頁紙葉Ｐを綴金具ｍの開放部ｍ１  内に突入させた後は、従来の技術の説明（図６，図７参照）において示したと同様にして、紙葉綴手段Ｂ内に装備された綴金具第１プレス手段６が、頁紙葉Ｐの表裏方向より綴金具ｍを押圧プレス（クランプ）して、綴金具ｍの開放部ｍ１  を閉鎖して、カレンダー頁紙葉Ｐ前端部ｐｆを綴じ付けし、引き続いて、プレス手段９により二段折りして、カレンダー頁紙葉Ｐの１サイクルの綴じ付け動作を終了し、綴じ付け終了したカレンダー紙葉Ｐは、搬送手段Ａから、搬出手段Ｃ方向に搬出されるものである。
【００３５】
続いて、搬送手段Ａにより搬送される後続のカレンダー頁紙葉Ｐを、順次、同様にして、タイミング検出動作、一旦停止動作、厚さ検出動作して、前記紙葉綴手段Ｂ内に搬入して綴じ付け動作するものである。
【００３６】
一方、上記厚さ検出センサー２１が、異常厚さ検出信号を発信すると、前記タイミングセンサー２０によるタイミング検出信号と、異常厚さ検出信号とによるＡＮＤ信号（両検出信号）によって、紙葉停止部２２は、カレンダー頁紙葉Ｐの一旦停止動作を継続するとともに、紙葉綴手段Ｂの綴金具第１プレス手段６は不動作となる。また、この際、継続して検知動作している前記タイミングセンサー２０によるタイミング検出信号と、前記厚み検知センサー２１による異常厚さ検出信号とによるＡＮＤ信号（両検出信号）によって警報動作信号を発信させ、警報ランプ、警報ブザー等の警報器を動作して、機械オペレーターに異常を知らせて、手動によりカレンダー頁紙葉Ｐを抜き取り排出するものである。
【００３７】
なお、警報動作信号によって、搬送手段Ａと紙葉綴手段Ｂとの間に適宜に設けたフリップ・フロップ振り分けリジェクター（図示せず）を動作させて、自動的に、搬送路外に異常厚さによるカレンダー頁紙葉Ｐを排出させるようにしてもよい。
【００３８】
図２、図３、図４は、本発明のカレンダー綴機の一実施例におけるタイミングセンサー２０、厚さ検出センサー２１、紙葉停止部２２のそれぞれ平面図、側面図、正面図である。
【００３９】
図２の平面図に示すように、支持フレームＦが、搬送手段Ａの上方に突出するように、垂直板１ａと水平板１ｂからなる断面Ｌ字型のサイドガイド１の垂直板１ａ外側部に取り付けられ、該支持フレームＦには、厚さ検出センサー２１、タイミングセンサー２０、紙葉停止部２２が、それぞれカレンダー頁紙葉Ｐの搬送方向に対して、この順に取り付け支持されている。
【００４０】
タイミングセンサー２０は、例えば、カレンダー頁紙葉Ｐの表裏両側に対向して投光部（照明部）と受光部（センサー部）とを設置した透過式のフォトセンサー、若しくはカレンダー頁紙葉Ｐの表裏いずれか片側に対向して投受光部を設置した反射式のフォトセンサー等の非接触式のセンサーが使用でき、透過式の場合には、図３の側面図に示すように、サイドガイド１の水平板１ｂに孔設部１ｃを備え、該孔設部１ｃの上下に離間対向して、フォトセンサー投光部２０ａと、受光部２０ｂとを備えている。なお、この他にリミットスイッチ、マイクロスイッチ等の接触式センサーを使用することも可能である。
【００４１】
厚さ検出センサー２１は、例えは、触針方式（弾性プローブ式、プランジャー式）あるいはコロ接触方式（キャリパー式）等の接触式センサー、若しくは超音波やマイクロ波等の反射波を測定する非接触式センサー等が使用でき、触針接触式の場合は、図３の側面図に示すように、下部にプローブ２１ａを備え、該プローブ２１ａをバネを介して垂直方向にスライド可能に下向きに付勢するプローブハウジング部２１ｂとを備え、プローブ２１ａを、エアーシリンダー等の直線駆動手段によって、カレンダー頁紙葉Ｐ面に垂直に下降動作させて接触させることにより、その下降移動距離によって厚さを検出するものである。
【００４２】
紙葉停止部２２は、図３の側面図に示すように、停止板２２ａと、該停止板２２ａを作動ロッド２２ｂの先端に取り付けたエアーシリンダー、電磁ソレノイド等の上下方向への移動駆動手段２２ｃとを備え、停止板２２ａは、カレンダー頁紙葉Ｐの搬送路内に突出・回避動作することによって、カレンダー頁紙葉Ｐの前端部ｐｆを当接させて、一旦停止・停止解除動作させるものである。なお、作動ロッド２２ｂに対して取り付けられる停止板２２ａは、該作動ロッド２２ｂに対して１個、又はカレンダー頁紙葉Ｐの搬送方向と直交する方向に２個取り付けるようにしてもよい。
【００４３】
支持フレームＦには、サイドガイド１の水平板１ｂ上側に、カレンダー頁紙葉Ｐの厚さ以上に離間して対向する導入ガイド板２３を備え、カレンダー頁紙葉Ｐが、水平板１ｂと、厚さ検出センサー２１及びタイミングセンサー２０との対向間にスムーズに導入されるようになっている。
【００４４】
なお本発明においては、図１、図２に示すように、搬送方向に対して、厚さ検出センサー２１と、タイミングセンサー２０とを、この順に配置してあるが、これ以外に、タイミングセンサー２０を、厚さ検出センサー２１に対して搬送方向の上流側に配置するようにしてもよい。
【００４５】
【作用】
本発明のカレンダー綴機は、搬送手段Ａの紙葉搬送路上に、カレンダー頁紙葉Ｐの通過を検知するタイミングセンサー２０及び頁紙葉Ｐの厚みを検出する厚さ検出センサー２１と、厚さ検出のために頁紙葉Ｐを一旦停止させる紙葉停止部２２とを、搬送方向に対してこの順に設けたので、紙葉停止部２２による紙葉綴手段Ｂ直前の一旦停止動作によって、カレンダー頁紙葉Ｐの綴手段Ｂ内への搬入タイミングを一定化できるとともに、紙葉綴手段Ｂ内への異常厚さみを有するカレンダー頁紙葉Ｐの搬入を防止して、厚さに異常のあるカレンダー頁紙葉Ｐに対する綴金具の取り付けを回避でき、正常厚みを有するカレンダー頁紙葉Ｐのみを紙葉綴手段Ｂに搬入してカレンダー綴じを行なうことができる。
【００４６】
また、本発明のカレンダー綴機は、カレンダー頁紙葉Ｐを一旦停止させる紙葉停止部２２によって、先行するカレンダー頁紙葉の綴じ付けが終了した後に、所定の時間差をもって、後続のカレンダー頁紙葉Ｐを紙葉綴手段Ｂ内に搬入させることができる。
【００４７】
【発明の効果】
本発明のカレンダー綴機は、紙葉綴手段内への異常厚さみを有するカレンダー頁紙葉の搬入を防止して、厚さに異常のあるカレンダー頁紙葉に対する綴金具の取り付けを回避し、正常厚みを有するカレンダー頁紙葉のみを紙葉綴手段に搬入してカレンダー綴じを行なうことができ、カレンダー頁紙葉Ｐを１部ずつ連続的に搬入する場合における基準よりも厚みのある増丁の生じたカレンダー頁紙葉Ｐが、紙葉綴手段Ｂ内に引っ掛かったりするトラブルを解消でき、従来のように正常・異常に係わらず、全てのカレンダー頁紙葉に対して綴じ付けされてしまう場合における綴金具のロスや排出区分された不良品の再生における綴金具の分離作業の省力化ができる効果がある。
【００４８】
また、先行するカレンダー頁紙葉の綴じ付けが終了した後に、所定の時間差をもって後続の頁紙葉を綴手段に搬入させることによって、先行するカレンダー頁紙葉に後続のそれが衝突して、先行の頁紙葉が搬入途中で曲がったり、あるいは重なりあって２部差しが発生するなどのトラブルが解消され、カレンダー綴作業の能率向上に顕著な効果がある。
【図面の簡単な説明】
【図１】本発明のカレンダー綴機の一実施例における全体概要平面図である。
【図２】本発明のカレンダー綴機の一実施例における厚さ検出センサー、タイミングセンサー、紙葉停止部の平面図である。
【図３】本発明のカレンダー綴機の一実施例における厚さ検出センサー、タイミングセンサー、紙葉停止部の側面図である。
【図４】本発明のカレンダー綴機の一実施例における厚さ検出センサー、タイミングセンサー、紙葉停止部の正面図である。
【図５】従来のカレンダー綴機の全体概要平面図である。
【図６】従来のカレンダー綴機の全体概要側面図である。
【図７】従来のカレンダー綴機の全体概要側面図である。
【図８】カレンダー頁紙葉の前端部を綴金具によって綴じる場合の一般的なカレンダー綴の綴じ付け順序を説明する側面図である。
【符号の説明】
Ａ…搬送手段  Ｂ…紙葉綴手段  Ｃ…搬出手段  Ｒ…送り出しロール
Ｐ…カレンダー頁紙葉  ｐｆ…前端部  ｍ…綴金具  ｍ１  …開放部
１…サイドガイド  ２…スタック部  ３…スライドガイド  ４…第１保持爪
５…第２保持爪  ６…第１プレス手段  ７…紙葉停止部  ８…厚さ検出センサー
９…第２プレス手段  １０…位置決め手段  １０ｆ…位置決め板
１１ｆ…水平可動盤  １２…水平固定盤  １３…空間部  １４…押し上げ板
１５…プレス手段  １６…水平盤  １６ａ…空間部  １７…位置決め板
１８…受取アーム
Ｆ…支持フレーム  ２０…タイミングセンサー  ２１…厚さ検出センサー
２２…紙葉停止部  ２３…導入ガイド
【図１】
0003561966.tif 000002
【図２】
0003561966.tif 000003
【図３】
0003561966.tif 000004
【図４】
0003561966.tif 000005
【図５】
0003561966.tif 000006
【図６】
0003561966.tif 000007
【図７】
0003561966.tif 000008
【図８】
0003561966.tif 000009